(57)【要約】【課題】ストッパー部材の分だけ大型化することなく、かつ、外観品位を損なうことのない撮像装置を提供すること。【解決手段】回転軸が嵌挿される軸受部と、軸受部から延びて被覆部を覆う蓋部を形成する蓋覆部材を有し、回転軸の周りに回動する蓋覆部材と、樹脂部材からなる動作規制部を有する動作規制部材とを備え、蓋覆部材の外観を形成する表面と、表面の裏側を形成する内面とを有し、動作規制部材は、蓋覆部材が所定の位置まで回動したとき、蓋覆部材の内面と係合する動作規制部が設けられており、動作規制部は略コの字状の係合部を有することを特徴とする。【選択図】図１０ｂ
2016128854.tif 000002
【特許請求の範囲】
【請求項１】
回転軸が嵌挿される軸受部と、
軸受部から延びて被覆部を覆う蓋部を形成し、前記回転軸の周りに回動するカバー部材を有し、樹脂部材からなる動作規制部を有する動作規制部材とを備え、前記カバー部材の外観を形成する表面と、前記表面の裏側を形成する内面と、前記内面に形成された内面当接面を有し、前記動作規制部材は、前記カバー部材が所定の位置まで回動したとき、前記カバー部材の前記内面当接面と係合する動作規制部が設けられており、前記動作規制部はコの字状の係合部を有することを特徴とする撮像装置。
【請求項２】
前記動作規制部材の前記動作規制部は、前記撮像装置の背面に設けられた外装部材の外観に露出するように構成され、外観に露出した前記動作規制部材の前記動作規制部が、前記カバー部材によってすべて覆われることを特徴とする請求項１に記載の撮像装置。
【請求項３】
前記カバー部材の前記軸受部は、前記カバー部材の前記回動軸の回転中心軸方向の両端にそれぞれ１箇所ずつ設けられ、前記動作規制部材の前記動作規制部が、前記カバー部材の左右に設けられた前記軸受部の間に配設されていることを特徴とする請求項１又は請求項２に記載の撮像装置。
【発明の詳細な説明】
【技術分野】
【０００１】
本発明は、回動して開閉する蓋構造を有する撮像装置に関する。
【背景技術】
【０００２】
蓋は例えばカメラの記録媒体の開口部を塞ぐために用いられる。使用者は蓋を開けてから記録媒体収納部に記録媒体を出し入れし、蓋を閉じることで、記録媒体収納部に収納された記録媒体を不意に操作し抜きとったり、衝撃が加わった際に記録媒体が記録媒体収納部から出てしまうことを防止する。
【０００３】
その一例として、図１１に示すように、蓋構造は、回転軸が嵌挿される軸受部と軸受部から延びて被覆部を覆う蓋覆部とを有し、回転軸の周りに回動する蓋部材と、弾性部材からなる過開防止部を有するストッパー部材とを備え、蓋覆部は被覆部を覆う内面と内面の裏側である表面とを有し、過開防止部は、蓋部材が所定の位置まで回動したとき、軸受部の外周面又は表面と係合するような構成が提案されている（特許文献１）。
【先行技術文献】
【特許文献】
【０００４】
【特許文献１】特開２００９−３６９６５号公報
【発明の概要】
【発明が解決しようとする課題】
【０００５】
しかしながら、上記従来例のような蓋構造では、ストッパー部材を蓋部材の開く方向の外観側に設ける必要があるため、ストッパー部材の分だけ大型化する。また、係合溝部が外観に露出するため、外観品位が低下するという課題がある。
【０００６】
本発明の目的は、ストッパー部材の分だけ大型化することなく、かつ、外観品位を損なうことのない撮像装置を提供することにある。
【課題を解決するための手段】
【０００７】
上記の目的を達成するために、本発明の撮像装置は、回転軸が嵌挿される軸受部と、軸受部から延びて被覆部を覆う蓋部を形成する蓋覆部材を有し、回転軸の周りに回動する蓋覆部材と、樹脂部材からなる動作規制部を有する動作規制部材とを備え、蓋覆部材の外観を形成する表面と、表面の裏側を形成する内面とを有し、動作規制部材は、蓋覆部材が所定の位置まで回動したとき、蓋覆部材の内面と係合する動作規制部が設けられており、動作規制部は略コの字状の係合部を有することを特徴とする。
【０００８】
また、動作規制部材の動作規制部は、撮像装置の背面に設けられた外装部材の内側から撮像装置の外観に露出するように構成され、外観に露出した動作規制部材の動作規制部が、蓋覆部材によってすべて覆われることを特徴としている。
【０００９】
さらに、蓋覆部材の軸受部は、蓋覆部材の左右両側にそれぞれ１箇所ずつ設けられ、動作規制部材の動作規制部が、蓋覆部材の左右に設けられた軸受部の間に配設されていることを特徴とする。
【発明の効果】
【００１０】
本発明の撮像装置によれば、ストッパー部材を外観側に設ける必要が無いため、ストッパー部材の分だけ大型化することなく、かつ、外観品位を損なわない構成ができるようになる。
【図面の簡単な説明】
【００１１】
【図１】撮像装置本体の主に上面構成を表す正面右側上方から見た斜視図
【図２】カードカバー閉状態の撮像装置本体  の主に背面構成を表す背面左側上方から見た斜視図
【図３】カードカバー開状態の撮像装置本体  の主に背面構成を表す背面左側上方から見た斜視図
【図４】撮像装置本体の背面を構成する要素のみを表示した背面斜視図
【図５】カードカバー部の分解斜視図
【図６ａ】カードカバー部のみを正面側から見た内部構造図
【図６ｂ】カードカバー外カバーのみの斜視図
【図７】カードカバー操作ノブを右側上面から見た斜視図
【図８ａ】カードカバー部および背面カバーの断面図
【図８ｂ】カードカバー操作ノブ操作後のカードカバー部および背面カバーの断面図
【図９ａ】動作規制部材単体を示した斜視図
【図９ｂ】動作規制部材を右側面から見た側面図
【図１０ａ】カード閉状態のカードカバー部の断面図
【図１０ｂ】カード開状態のカードカバー部の断面図
【図１０ｃ】カード開状態のカード外カバーと動作規制部材の係合部の拡大図
【図１１】従来例の蓋構造を説明するための図
【発明を実施するための形態】
【００１２】
以下、本発明の好適な一実施形態について、撮像装置に本発明を適用し、図面を参照しながら詳細に説明する。尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１３】
（撮像装置外観斜視図の説明）
図１は撮像装置本体１０１の主に上面構成を表す正面右側上方から見た斜視図、図２、図３は撮像装置本体１０１の主に背面構成を表す背面左側上方から見た斜視図、本図を用いて外観斜視図に表される各要素の機能を説明する。
【００１４】
図１から図２に示す撮像装置本体１０１の正面側にはレンズ１０２が配置されている。レンズ１０２には、撮影者が回動することで撮影画像の光学的な拡大縮小を行うズームリング１０３が配置されている。また、レンズ１０２には撮影者が回動することで、撮影画像の合焦位置を変動することができるフォーカスリング１０４が設けられている。
【００１５】
撮像装置本体１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置本体１０１のさまざま状態を示すアイコンの表示／非表示を切り替える表示切替スイッチ１０６ａ、撮像装置本体１０１がマニュアルフォーカスモードになっている場合に、撮影者が押している間だけ一時的にオートフォーカスモードに切り替えることができるＡＦスイッチ１０６ｂが配置されている。
【００１６】
撮像装置本体１０１の左側面には、把持部回動軸２０１を中心に回動可能に取り付けられた把持部１０７が配置されている。
【００１７】
把持部１０７は図２に示す把持部回動軸２０１を中心に矢印Ａ側に９０度、矢印Ｂ側に９０度回動するように構成されている。
【００１８】
撮像装置本体１０１の上面には、入力された音声信号を電気信号に変換するマイク１０８が配置されている。
【００１９】
マイク１０８の背面方向に隣接して、フラッシュや外部マイクなどのカメラアクセサリを装着可能なアクセサリ取付部１０９が配置されている。
【００２０】
撮像装置本体１０１の背面には、撮影者が撮像画像や再生画像の表示を行う表示部２０２が配置されている。表示部２０２は撮像装置本体１０１に対して回動可能に取り付けられており、撮影者が撮影状況に合わせて、表示部２０２の位置を任意に変えることができるように構成されている。
【００２１】
また、表示部２０２の底面側には、撮影者が撮影した撮影画像を記録するために着脱する記録媒体を被覆するためのカードカバー部２０３が配置されている。
【００２２】
撮影者はカードカバー部２０３上に配置されたカードカバー操作ノブ２０４を操作することで、記録媒体ないしは記録媒体挿入口が被覆されている状態であるカバー閉状態から記録媒体ないしは記録媒体挿入口が露出している状態であるカバー開状態にすることができる。図２はカードカバー閉状態の撮像装置本体１０１、図３はカードカバー開状態の撮像装置本体１０１を表している。
【００２３】
カードカバー部２０３には、透明樹脂で構成されたカード視認窓２０５が設けられている。撮影者は撮像装置本体１０１に記録媒体が装着されているか否かを、カード視認窓２０５からカードカバー部２０３内部を観察することで確認することができる。
【００２４】
表示部２０２、カードカバー部２０３は撮像装置本体１０１の背面に設けられた背面カバー２０６を介して撮像装置本体１０１に取り付けられている。
【００２５】
（カードカバーの構造説明）
図４は撮像装置本体１０１の背面を構成する要素のみを表示した背面斜視図、図５はカードカバー部の分解斜視図である。図６ａはカードカバー部２０３のカード内カバー４０２を除去し、カードカバー部２０３のみを正面側から見た内部構造図、図６ｂはカード外カバー４０１の内面を示した斜視図である。図７はカードカバー操作ノブ２０４を右側上面から見た斜視図である。図８ａはカードカバー部２０３および背面カバー２０６を図４に示した断面Ｄ−Ｄで切断した断面図、図８ｂは図８ａの状態からカードカバー操作ノブ２０４を操作した時の断面Ｄ−Ｄで切断した断面図である。
【００２６】
カードカバー部２０３は図５に示した２点鎖線で囲われた複数の構成部品で構成されている。
【００２７】
カードカバー部２０３は主に外観部品であるカード外カバー４０１と透明部材で構成されたカード内カバー４０２で構成されている。
【００２８】
前述のカードカバー操作ノブ２０４はカード外カバー４０１に配設された操作ノブ開口部４０３にカード外カバー４０１内側から挿通されることで操作可能に配置されている。
【００２９】
また、前述のカード視認窓２０５はカード内カバー４０２上に配設されており、カード外カバー４０１のカード視認窓開口部４０４に  カード外カバー４０１内側から挿通されることで外観から視認可能に構成されている。
【００３０】
カードカバー操作ノブ２０４は図５、図６ａに示すように、カード外カバー４０１とカード内カバー４０２に左右方向にスライド可能に挟持されている。
【００３１】
操作ノブ付勢バネ４０５はカードカバー操作ノブ２０４から延在する操作ノブバネ挿通軸７０１に挿通され、組立状態では操作ノブ付勢バネ４０５により＋Ｚ方向に付勢されている。
【００３２】
カードカバー操作ノブ２０４にはカードカバー係止部７０２は、撮像装置本体１０１正面側に向かって延出して配設されており、操作ノブ付勢バネ４０５により＋Ｚ方向に付勢されることで、背面カバー２０６と係合する。
【００３３】
また、カバー回動軸（右）４０６とカバー回動軸（左）４０７がカード外カバー４０１の左右両側に配設されたカバー回動軸受け部４１２に挿通され、さらにカード外カバー４０１とカード内カバー４０２に挟持されている。カバー回動軸（右）４０６とカバー回動軸（左）４０７はカバー回動軸受け部４１２と同一軸上になるように背面カバー２０６の左右両側に配設されたカバー回動軸保持部４０８に挿通されることで、背面カバー２０６に対して回動可能に構成されている。
【００３４】
カードカバー部２０３を開くときの動作について説明する。カードカバー部２０３はカードカバー閉状態では、操作ノブ付勢バネ４０５によって＋Ｚ方向に付勢され、図８ａに示すように背面カバー２０６に対して、カードカバー操作ノブ２０４のカードカバー係止部７０２が係合している。
【００３５】
カードカバー操作ノブ２０４を−Ｚ方向に操作すると、図８ｂに示すように背面カバー２０６からカードカバー操作ノブ２０４のカードカバー係止部７０２が外れる。
【００３６】
カードカバー部２０３はカバー回動軸（右）４０６によって貫挿され、カードカバー部２０３を常に開く方向に付勢しているカードカバー付勢バネ４０９が配置されている。
【００３７】
カードカバー係止部７０２が外れた状態のカードカバー部２０３は、このカードカバー付勢バネ４０９の付勢力によって、カードカバー部２０３を押し上げられることで、カバー回動軸（右）４０６およびカバー回動軸（左）４０７を中心にカードカバー開状態にすることが可能となる。
【００３８】
カード外カバー４０１の内面には、図６ｂに示す位置にカードカバー側当接面６０１（図６ｂのハッチング面）が配設されている。カードカバー側当接面６０１の機能については、後述する。
【００３９】
背面カバー２０６には、背面カバー２０６内側から動作規制部材４１０が取り付けられている。  図９ａは動作規制部材４１０単体を背面から見た斜視図、図９ｂは動作規制部８０１の上面斜視図である。図１０ａは図４に示すカード閉状態のカードカバー部２０３を図中Ｃ―Ｃ断面で切断し、右側面から見た断面図、図１０ｂはカード開状態のカードカバー部２０３を図１０ａと同様のＣ―Ｃ断面で切断し、右側面から見た断面図、図１０ｃは図１０ｂの２点鎖線で囲われた領域Ｅを拡大した拡大図である。
【００４０】
動作規制部材４１０には動作規制部８０１が配設されている。動作規制部８０１は図９ａに示すように上面側に開口部を有した略コの字状に形成されている。動作規制部８０１の略コの字の内側の一面は動作規制部材側当接面８０２（図９ｂのハッチング面）として形成されている。
【００４１】
カードカバー開状態のカードカバー部２０３は、動作規制部８０１の動作規制部材側当接面８０２とカード外カバー４０１のカードカバー側当接面６０１が当接するように構成されている。図１０ｂにおいて、動作規制部材側当接面８０２とカードカバー側当接面６０１は当接した状態のため、図中の表現上は同一の箇所を示している。
【００４２】
このように構成することで、以下に説明するような効果を得ることができる。
【００４３】
図１０ａに示した破線部は、本実施例における撮像装置本体１０１のカードカバー部２０３がカードカバー閉状態の時の外観領域を示している。
【００４４】
本実施例における撮像装置本体１０１においては、図１０ａに示すように、表示部２０２がカードカバー部２０３の直上に配置されている。本実施例における動作規制部材４１０を上述のように構成することで、カードカバー部２０３のカードカバー開状態の姿勢保持をカード外カバー４０１の外観領域で行わない。
【００４５】
また、従来例の構成では、カードカバー部２０３の開く方向に当接面をさらに設けることで、カードカバー部２０３が必要以上に開くのを防ぐように構成する。しかし、本実施例では、図１０ｂに示すようにカードカバー部２０３に外力Ｆが加わった場合、カードカバー側当接面６０１および動作規制部８０１の係合によって、外力Ｆにより必要以上に開くのを防ぐが可能となるため、カードカバー部２０３の開く方向に当接面を設ける必要が無い。したがって、カードカバー部２０３外形の近傍まで部品を配置することが可能となる。
【００４６】
本実施例では、表示部２０２をカードカバー部２０３外形の近傍に配置している。また、動作規制部材４１０が背面カバー２０６の内部から挿通されているため、カードカバー閉状態での外観には動作規制部材４１０が見えることはない。さらに、カードカバー側当接面６０１と動作規制部材側当接面８０２がカードカバー部２０３に被覆されているため、当接部に傷などが付いても、外観から視認することはできない。したがって、十分に外観品位を確保できる構成になっている。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
１０１  撮像装置本体、２０２  表示部、２０３  カードカバー部、
２０６  背面カバー、４０１  カード外カバー、４０６  カバー回動軸（右）、
４０７  カバー回動軸（左）、４１０  動作規制部材、
６０１  カードカバー側当接面、８０１  動作規制部、
８０２  動作規制部材側当接面
【図１】
2016128854.tif 000003
【図２】
2016128854.tif 000004
【図３】
2016128854.tif 000005
【図４】
2016128854.tif 000006
【図５】
2016128854.tif 000007
【図６ａ】
2016128854.tif 000008
【図６ｂ】
2016128854.tif 000009
【図７】
2016128854.tif 000010
【図８ａ】
2016128854.tif 000011
【図８ｂ】
2016128854.tif 000012
【図９ａ】
2016128854.tif 000013
【図９ｂ】
2016128854.tif 000014
【図１０ａ】
2016128854.tif 000015
【図１０ｂ】
2016128854.tif 000016
【図１０ｃ】
2016128854.tif 000017
【図１１】
2016128854.tif 000018